(57)【要約】【課題】作業者が無理な姿勢でなく、容易に圧雪氷路面の粉砕を出来且つ刃物の交換を容易に行うことの出来る簡単な粉砕器を提供すること。【解決手段】片手で支持するグリップ部を有する外套管内に収まり、上端に把手を設ける操作用ロッドを繰り返し押す操作により、前記ロッドに当接して押圧される、先端部が鋭突な四角錐形の刃型或いは鋸刃とワイヤーブラシの組み合わせに成る刃状を先端部に形成する粉砕具を、外套管に固定する支持体とヒンジ結合し側方に回動するＬ字体と粉砕具の軸部に設けるフランジ面間に設けるバネに依り負勢して成る圧雪氷粉砕器として課題を解決するものである。【選択図】    図１
2004238861.tif 000002
【特許請求の範囲】
【請求項１】
外套管と、該外套管内で直線的に可動する、手押し把手を上端部に設ける操作用ロッドと、該ロッドの下方他端面に当接し押圧されて可動する軸部及びフランジを有し先端部に刃型を形成する粉砕具とから成り、前記外套管の上方先端部外側にグリップを設け比較的下方部において、該外套管の外側に支点部を有するリング状支持体を固定し、該支点部においてヒンジ結合し回転動する、前記粉砕具の軸部の軸徑より大きい幅の切り欠き開口部を回動面方向に形成する平板部を有するＬ字体を可動的に設け、該平板部の上面と前記粉砕具のフランジ面間にバネを挿入して、前記粉砕具を支持するように構成する圧雪氷粉砕機。
【請求項２】
軸部上方端或いは端部近傍にフランジを形成し、他端部に鋭突する角錐刃を形成する粉砕具を使用する請求項１記載の圧雪氷粉砕機。
【請求項３】
基台の裏面と、鋸刃とワイヤーブラシを底面に交互に配置する刃板上面間に板バネを装備し、先端部が路面に接する程度に刃辺を形成する除雪用バケットを前記基台上面に設けて成る粉砕具を用いる請求項１記載の圧雪氷粉砕機。
【発明の詳細な説明】
【０００１】
【発明の属する技術分野】
本発明は、路面等に於ける圧雪氷の粉砕装置に関するものであり、特に氷を粉砕し或いは路面表面に沿切りによる傷状の滑り防止面を容易に造り得る圧雪氷粉砕機に関するものである。
【０００２】
【従来の技術】
従来、この種の一般的な用具として鶴嘴が代用されているが、これは全身を使い上下に振り動かす操作を繰り返して冬季間に於ける凍結路面の圧雪氷を砕くものである。
また、同一出願人による実用新案登録第３０４６４７１号公報に記載されている氷割り用具等が公知されている。
【０００３】
【発明が解決しようとする課題】
前述の、鶴嘴を使用する場合では、比較的重量の有る用具を上下に振り動かす動作を繰り返し実行しなければならず、肩や腰に力が要かり、場合に依っては力の要け過ぎによる腰や肩を痛める或いは筋肉痛が残る、と云う問題があり、亦前記公報に記載されている氷り割り用具にあっては、円錐状先端部の取り替えが、使用する鉄芯が長い為に容易に行うことが出来ず、持ち運びの不便さを解消していないと云う問題があった。
従って、本発明に於ける課題は、上記問題を解決し、簡単な操作に依り、作業者が安定した姿勢で、人体にかかる作業時の負荷を軽減でき、用途により先端に設ける刃部の交換を容易にし、確実に路面等の圧雪氷りを砕く用具を提供することである。
【０００４】
【課題を解決するための手段】
基本的には、手頃に長尺の外套管内で直線的に上下動する操作用ロッドの、上端部に手押し用の把手を設け、該ロッドの下方他端面に当接し押圧されて可動する軸部の上方端或いは上方端近傍にフランジを形成し、下端の先端部に角錐刃を形成する粉砕具或いは軸部下端の先端部に、基台の裏面と底面に鋸刃及びワイヤーブラシを交互に配置する刃板の上面間に板バネを装備し、先端部が路面に接する程度に刃辺を形成する除雪用のバケットを前記基台上に設ける粉砕具を有し、前記外套管の上方外側面に片手で押さえるためのグリップを設けると共に、比較的下方外側面には、支点部を有するリング状支持体を固定し、該支点部に於いて回転動自在にヒンジ結合する、粉砕具の軸徑より大きい幅に切り欠く開口部を回転動面方向に開口する平板部を有するＬ字体を可動的に設け、該平板部の上面と粉砕具に設けるフランジ面間に、粉砕具の軸部が中に収まるコイルバネを挿入して前記粉砕具を支持し、バネの弾力性を利用して、把手を押して氷を粉砕する時の手に作用する打撲時の衝撃力を緩和するように構成する圧雪氷粉砕器として課題を解決するものである。
【０００５】
【発明の実施の形態】
以下、図面に示す実施例に従って、本発明の実施態様を詳述する。
図１は、本発明に於ける原理的実施例を示す縦断面図であり、図２は同一実施例の要部外観図である。図に於いて、使用者の背丈等に似合う適当な長さの外套管１の上方一端部にグリップ４を設け、外套管１内で上下動する操作用ロッド２をグリップ４の上方に突出させ、上端部には把手３を設けてある。外套管１の比較的下方部の外側壁に被せて固定するリング状支持体５を配置し、支持体５には側壁外に位置する個所に支点部５−１を設け、この支点部５−１において、Ｌ字体６がピン９に依りヒンジ結合している。Ｌ字体６は平板部６−１を有し、この平板部６−１には、開口部６−２を形成して成るものである。外套管１の下方端面に接して係止するフランジ７−１を一端側に形成し他端に角錐形の刃型７−２を形成する粉砕具７を、その軸部を中に納め、フランジ７−１の裏面とＬ字体６の平板部６−１の上面間に配置するコイルバネ８により支持し、粉砕具７の上端面が操作用ロッド２の下端面に当接して、操作用ロッド２の上下動に応じて上下に可動するように組み合わされ粉砕器全体を構成している。更に、Ｌ字体６の平板部６−１の一部を切り欠いて形成する開口部６−２の幅を粉砕具７の軸徑より大きく形成し、Ｌ字体６を回動させることに依り粉砕具７の軸部が開口部６−２を交わして着脱を可能としている。
【０００６】
本粉砕器の操作は、グリップ４を片手で握り、外套管１をほぼ垂直に保持して立て、他方の手で把手３を押す動作を繰り返すことで行われ、粉砕具７に於ける刃型７−２の鋭突な四角錐先端が操作用ロッド２に下方に押される力が加勢されると、多少のロスがあるものの、そのまま力が粉砕具７に伝わり刃型７−２先端部が氷を砕いて路面の滑り安さを破壊するものである。この場合に、コイルバネ８を設けているので、その弾性力により操作が容易となると同時に、把手３を繰り返し操作する手に作用する打撲時の衝撃力が緩和されることになる。
【０００７】
図３は粉砕具の他の実施例を示す要部断面図である。
粉砕具７の軸部先端に於いてピン１６により回転自在に結合し首振り運動をする基台１０の上面には、先端面を路面に接する程度の刃辺１１−１を有する除雪用バケット１１を設け、基台１０の裏面に複数のワイヤーブラシ１３と鋸刃１２を交互に、大凡２０乃至３０ｍｍ程度の間隔で配置し、比較的前方に於いて板バネ１４を挟んでビス１５で固定して粉砕具７の全体を構成しているものである。尚、鋸刃１２とワイヤーブラシ１３の一端付根側をボルト・ナット１７で基台１０に固定して成るものである。粉砕具７の軸部にフランジ７−１を設け、軸部上端面が、外套管１内の操作用ロッド２に当接し押圧されて作動することは図１の実施例と同様である。図示はしないが、リング状支持体５及び回転動するＬ字体６を設けコイルバネ８で粉砕具７を支持或いは着脱し交換を可能とする事は図１に示す実施例と同様である。
【０００８】
本実施例の操作にあっては、除雪用バケット１１に依る除雪と薄い氷雪の凹凸路面を前方の保護用の刃辺１１−１で平らな面に形成し、粉砕具７を前後に押し引きしながら、底部の鋸刃１２で沿切りしワイヤーブラシ１３に依り、路面に傷をつけて、滑り止めの効果を高めるものである。この場合、板バネ１４に依り付勢されることで、その弾力性により、鋸刃１２及びワイヤーブラシ１３の路面への圧接を滑らかにし、操作を容易に実行できることになる。
【０００９】
本発明においては、操作用ロッド２或いは粉砕具７の要部は鋼鉄材等の高強度の金属材が使用されことが望ましいが、付属する除雪用バケット１１等は合成樹脂を素材として使用することも、装置全体を軽量化する上で可能である。
【００１０】
【発明の効果】
上記、実施例に従って本発明の実施態様を説明したように、本発明は、路面等の圧雪氷を、楽な姿勢で粉砕或いは傷を付けて滑りづらい路面を実現でき、また刃部の交換を容易に出来、運搬に便利な極めて単純な構成で成る圧雪氷の粉砕器を提供すると云う課題を十分に解決している特有の効果を有するものである。
【図面の簡単な説明】
【図１】一実施例を示す装置全体の縦断面図である。
【図２】他の実施例の要部斜視図である。
【図３】更に他の実施例を示す要部断面図である。
【符号の説明】
１      外套管
２      操作用ロッド
３      把手
４      グリップ
５      リング状支持体
５−１  支点部
６      Ｌ字体
７      粉砕具
７−１  フランジ
７−２  刃型
８      コイルバネ
９      ピン
１０    基台
１１    除雪用バケット
１２    鋸刃
１３    ワイヤーブラシ
１４    板バネ
１５    ビス
１６    ピン
１７    ボルト・ナット
【図１】
2004238861.tif 000003
【図２】
2004238861.tif 000004
【図３】
2004238861.tif 000005